(57)【要約】      （修正有）【課題】ファツション性、快適なセンスと自分だけのオシャレ心を十分に満足させると共に、膝からずり落ちにくく、またずれにくいレッグカバーを提供する。【解決手段】膝又は膝の上方部に装着され、レッグカバー１０が取付けられる複数個のボタン２１を設けたサポーター２０を有し、レッグカバー１０の上端部の近くの下方内面には、サポーター２０に設けたボタン２１が挿入されるボタン穴が設けられている。【選択図】図１
0003164938.tif 000002
【実用新案登録請求の範囲】
【請求項１】
膝又は膝の上方部に装着され、レッグカバーが取付けられる複数個のボタンを設けたサポーターを有し、レッグカバーの上端部の近くの下方内面には、前記サポーターに設けたボタンが挿入されるボタン穴が設けられていることを特徴とするレッグカバー。
【請求項２】
前記ボタン穴は縦方向に伸びて形成されていることを特徴とする請求項１記載のレッグカバー。
【請求項３】
膝の上方部に巻き付けて両端部を面ファスナーで係合させ、表面に面ファスナーが設けられたバンドを有し、レッグカバーの上端部近くの下方内面には、前記バンドの表面の面ファスナーに係合させる面ファスナーが設けられていることを特徴とするレッグカバー。
【請求項４】
前記レッグカバーには、上端より下方に向けてスリットが形成され、スリットの両側には紐を通す紐穴が複数個形成されていることを特徴とする請求項１記載のレッグカバー。
【考案の詳細な説明】
【技術分野】
【０００１】
本考案はレッグカバーに関する。
【背景技術】
【０００２】
レッグカバーに関係するものとして、ジーンズが挙げられる。ジーンズは、最近、高いファツション性と快適なセンスと自分だけのオシャレ心とを満足させ得る多様な様式が切望されながら、これらの要望を十分に満足させるものは提供されていない。ジーンズとして、例えば特許文献１及び２が挙げられる。
【０００３】
ジーンズには、高いファツション性等に限界があるので、本考案者はレッグカバーに注目した。レッグカバーとして、例えば特許文献３が挙げられる。このレッグカバーは、膝にあたる部分の生地を切り離し、継目部分にメッシュ状の織布を使用し、両端部にはゴム或いは紐を通している。
【０００４】
【特許文献１】特開２００６−３２８６２５号公報
【特許文献２】特開２００９−１２１００８号公報
【特許文献３】実開平３−２５５１４号公報
【考案の開示】
【考案が解決しようとする課題】
【０００５】
前記したレッグカバーは、ファツション性については全く考慮されていない。またレッグカバーをゴムで膝の上方部に締め付ける構造は、歩く時における膝とゴムとの摩擦力によりずり落ち易く、またずれ易い。またゴムは、経時変化により弾力性が劣化し易い。紐によって締め付ける構造は、レッグカバーがずり落ちないように紐を強く締め付けると足が痛くなり、緩く締めるとずり落ち易くずれ易いので、締め付けが非常に難しい。
【０００６】
本考案の課題は、ファツション性、快適なセンスと自分だけのオシャレ心を十分に満足させると共に、膝からずり落ちにくく、またずれにくいレッグカバーを提供することにある。
【課題を解決するための手段】
【０００７】
上記課題を解決するための本考案の請求項１は、膝又は膝の上方部に装着され、レッグカバーが取付けられる複数個のボタンを設けたサポーターを有し、レッグカバーの上端部の近くの下方内面には、前記サポーターに設けたボタンが挿入されるボタン穴が設けられていることを特徴とする。
【０００８】
上記課題を解決するための本考案の請求項２は、上記請求項１において、前記ボタン穴は縦方向に伸びて形成されていることを特徴とする。
【０００９】
上記課題を解決するための本考案の請求項３は、膝の上方部に巻き付けて両端部を面ファスナーで係合させ、表面に面ファスナーが設けられたバンドを有し、レッグカバーの上端部近くの下方内面には、前記バンドの表面の面ファスナーに係合させる面ファスナーが設けられていることを特徴とする。
【００１０】
上記課題を解決するための本考案の請求項４は、上記請求項１又は３において、前記レッグカバーには、上端より下方に向けてスリットが形成され、スリットの両側には紐を通す紐穴が複数個形成されている
【考案の効果】
【００１１】
請求項１又は３によれば、レッグカバーは片方の足のみに装着できるので、両足に同じレッグカバーを装着してもよく、また両足に模様、形状等が異なったレッグカバーを装着することができる。即ち、左右両足に装着するレッグカバーの組合せを変えることにより、ファツション性が高められると共に、快適なセンスと自分だけのオシャレ心を満足させることができる。
【００１２】
レッグカバーを直接足に取付けるのではなく、サポーター又はバンドを介して取付けるので、サポーターを足に装着した状態で、レッグカバーを取り外して別のレッグカバーに容易に交換できる。また請求項１によれば、サポーターは、弾力性及び伸縮性があって膝に密着しているので、請求項３によれば、バンドは膝の上方部に密着して取付けられるので、レッグカバーを取付けても膝からずり落ちにくく、またずれにくい。
【００１３】
請求項２によれば、ボタン穴は縦方向に伸びて形成されているので、ボタンとボタン穴との隙間によりレッグカバーが若干上下動でき歩行上の柔軟性ができる。また請求項４によれば、スリットと紐穴に紐を設けると、ファツション性にも優れ、更に紐の締め付け具合によってレッグカバーの上方部の開口を調整でき、この点からもファツション性に優れている。
【考案を実施するための最良の形態】
【００１４】
本考案のレッグカバーの一実施の形態を図１乃至図５により説明する。本実施の形態は、図１乃至図３に示すように、レッグカバー１０と、膝部に装着されレッグカバー１０を膝の上方部に取付けるサポーター２０とからなっている。
【００１５】
レッグカバー１０は図４（ａ）に示すように、上端部１１は、膝の上方に挿入するようになっており、この上端部１１の近くの下方内面に３個のボタン穴１２が縦方向に伸びて形成されている。レッグカバー１０には、該レッグカバー１０を足に装着した場合における側面に上端より下方に向けてスリット１３が形成され、スリット１３の両側には紐１４を通す紐穴１５が複数個形成されている。
【００１６】
サポーター２０は図４（ｂ）に示すように、筒状で膝部に密着するように弾力性及び伸縮性のある繊維又は樹脂で形成されている。このサポーター２０として、例えば興和株式会社販売のひざ専用のサポーターが挙げられる。本実施の形態においては、サポーター２０の上方部には、レッグカバー１０のボタン穴１２に対応して３個のボタン２１が取付けられている。
【００１７】
次に使用方法について説明する。サポーター２０を図５に示すように、一方の爪先より挿入して膝に装着する。サポーター２０は、弾力性及び伸縮性があるので足に密着する。次に図１乃至図３に示すように、サポーター２０を装着した一方の足に爪先よりレッグカバー１０を挿入して上端部１１を膝の上方部に位置させる。そして、レッグカバー１０を回してボタン穴１２をボタン２１に対応させるか、又はサポーター２０を回してボタン２１をボタン穴１２に対応させる。次にボタン２１をボタン穴１２に挿入する。これにより、レッグカバー１０はサポーター２０に取付けられ、一方の足に装着される。他方の足にも同様にサポーター２０を装着し、このサポーター２０にレッグカバー１０を取付ける。
【００１８】
このように、レッグカバー１０は片方の足のみに装着できるので、両足に同じレッグカバー１０を装着してもよく、また両足に模様、形状等が異なったレッグカバー１０を装着することができる。即ち、左右両足に装着するレッグカバー１０の組合せを変えることにより、ファツション性が高められると共に、快適なセンスと自分だけのオシャレ心を満足させることができる。
【００１９】
本実施の形態においては、レッグカバー１０を直接足に取付けるのではなく、サポーター２０を介して取付けるので、サポーター２０を足に装着した状態で、レッグカバー１０を取り外して別のレッグカバー１０に容易に交換できる。またサポーター２０は、弾力性及び伸縮性があって膝に密着しているので、レッグカバー１０を取付けても膝からずり落ちにくく、またずれにくい。またボタン穴１２は縦方向に伸びて形成されているので、ボタン２１とボタン穴１２との隙間によりレッグカバー１０が若干上下動でき歩行上の柔軟性ができる。またスリット１３と紐穴１５に紐１４を設けると、ファツション性にも優れ、更に紐１４の締め付け具合によってレッグカバー１０の上方部の開口を調整でき、この点からもファツション性に優れている。
【００２０】
なお、本実施の形態においては、レッグカバー１０に３個のボタン穴１２を設け、サポーター２０にも３個のボタン２１を設けたが、ボタン穴１２及びボタン２１は２個以上であればよく、特に数は限定されない。
【００２１】
本考案のレッグカバーの他の実施の形態を図６により説明する。本実施の形態は、レッグカバー１０と、膝部の上方部に装着されレッグカバー１０を膝の上方部に取付けるバンド３０とからなっている。
【００２２】
レッグカバー１０の上端部１１は、前記実施の形態と同様に、膝の上方に挿入するようになっており、また上端より下方に向けてスリット１３が形成され、スリット１３の両側には紐１４を通す紐穴１５が複数個形成されている。本実施の形態においては、上端部近くの下方内面には、２個の面ファスナー１７が取付けられている。
【００２３】
バンド３０は、表面に面ファスナー３１が取付けられ、裏面の端部には前記面ファスナー３１に係合させる面ファスナー３２が取付けられている。
【００２４】
次に使用方法について説明する。バンド３０の面ファスナー３１側を表側にして一方の膝の上方部にバンド３０を巻き付け、面ファスナー３２を面ファスナー３１に係合させる。これにより、バンド３０は膝の上方部に装着させる。次にバンド３０を装着した一方の足に爪先よりレッグカバー１０を挿入して上端部１１を膝の上方部に位置させ、レッグカバー１０の面ファスナー１７をバンド３０の面ファスナー３１に係合させる。これにより、レッグカバー１０はバンド３０に取付けられ、一方の足に装着される。他方の足にも同様にバンド３０を装着し、このバンド３０にレッグカバー１０を取付ける。
【００２５】
本実施の形態においても前記実施の形態と同様の効果が得られる。即ち、レッグカバー１０は片方の足のみに装着できるので、両足に同じレッグカバー１０を装着してもよく、また両足に模様、形状等が異なったレッグカバー１０を装着することができる。即ち、左右両足に装着するレッグカバー１０の組合せを変えることにより、ファツション性が高められると共に、快適なセンスと自分だけのオシャレ心を満足させることができる。
【００２６】
またレッグカバー１０を直接足に取付けるのではなく、バンド３０を介して取付けるので、バンド３０を足に装着した状態で、レッグカバー１０を取り外して別のレッグカバー１０に容易に交換できる。またバンド３０は、膝の上方部に密着して取付けできるので、レッグカバー１０を取付けても膝からずり落ちにくく、またずれにくい。またスリット１３と紐穴１５に紐１４を設けると、ファツション性にも優れ、更に紐１４の締め付け具合によってレッグカバー１０の上方部の開口を調整でき、この点からもファツション性に優れている。
【００２７】
なお、本実施の形態においては、レッグカバー１０に２個の面ファスナー１７を取付けたが、この面ファスナー１７の数は特に限定されない。また１個の面ファスナー１７をレッグカバー１０の内面全周に設けてもよい。面ファスナー３２は裏面全面に設けたが、端部のみでも良いことは言うまでもない。
【図面の簡単な説明】
【００２８】
【図１】本考案のレッグカバーの一実施の形態を示し、使用状態の正面説明図である。
【図２】図１の背面説明図である。
【図３】断面図である。
【図４】（ａ）はレッグカバーの斜視図、（ｂ）はサポーターの斜視図である。
【図５】サポーターを膝部に装着した状態の説明図である。
【図６】本考案のレッグカバーの他の実施の形態を示し、（ａ）はレッグカバーの斜視図、（ｂ）はバンドの斜視図である。
【符号の説明】
【００２９】
１０    レッグカバー
１１    上端部
１２    ボタン穴
１３    スリット
１４    紐
１５    紐穴
１７    面ファスナー
２０    サポーター
２１    ボタン
３０    バンド
３１、３２    面ファスナー
【図１】
0003164938.tif 000003
【図２】
0003164938.tif 000004
【図３】
0003164938.tif 000005
【図４】
0003164938.tif 000006
【図５】
0003164938.tif 000007
【図６】
0003164938.tif 000008